(57)【要約】【課題】グリス貯溜部からグリス供給孔を通過するグリスを転動面に供給して一時的に無潤滑で円滑に動作させることができるスラストころ軸受を提供する。【解決手段】スラストころ軸受１において、複数のスラストころ４を転動可能に保持する複数のポケット５ａを円周方向に沿って有するとともに、複数のポケット５ａの内周側にグリスを貯溜するグリス貯溜部５００ｂを有する円環状のころ保持器５を備え、ころ保持器５は、複数のポケット５ａの内外周側部を形成する内外２つの円環部５ｂ，５ｃの内周側の円環部５ｂであって、複数のスラストころ４の軸線方向内端面４ｂに対向する部位にグリス貯溜部５００ｂに連通して転動面４ａにグリスを供給するためのグリス供給孔５２ｂが設けられている。【選択図】図２
2013185629.tif 000002
【特許請求の範囲】
【請求項１】
転動面を有する複数のスラストころと、
前記複数のスラストころを転動可能に保持する複数のポケットを円周方向に沿って有するとともに、前記複数のポケットの内周側にグリスを貯溜するグリス貯溜部を有する円環状のころ保持器とを備え、
前記ころ保持器は、前記複数のポケットの内外周側部を形成する内外２つの円環部の内周側円環部であって、前記複数のスラストころの軸線方向内端面に対向する部位に前記グリス貯溜部に連通して前記転動面にグリスを供給するためのグリス供給孔が設けられている
スラストころ軸受。
【請求項２】
前記ころ保持器は、前記グリス貯溜部を形成するための屈曲部が前記内周側円環部に設けられている請求項１に記載のスラストころ軸受。
【請求項３】
前記ころ保持器は、前記複数のスラストころを転動させる軌道輪が軸線方向片側に配置されている請求項１又は２に記載のスラストころ軸受。
【請求項４】
前記ころ保持器は、内輪又は外輪が前記軌道輪として軸線方向片側に配置されている請求項３に記載のスラストころ軸受。
【請求項５】
前記ころ保持器は、前記複数のスラストころを転動させる内輪が軸線方向一方側に、また前記複数のスラストころを転動させる外輪が軸線方向他方側にそれぞれ配置されている請求項１又は２に記載のスラストころ軸受。
【請求項６】
前記内輪は、前記グリス貯溜部を形成するための屈曲部が内周縁に設けられている請求項４又は５に記載のスラストころ軸受。
【発明の詳細な説明】
【技術分野】
【０００１】
本発明は、例えば自動車におけるエアコンディショナー用コンプレッサやトランスミッション等の回転支持部に用いられるスラストころ軸受に関する。
【背景技術】
【０００２】
従来のスラストころ軸受には、軸線が放射状に配置された複数のスラストころと、複数のスラストころを転動可能に保持するころ保持器と、ころ保持器に保持された複数のスラストころを転動させる軌道面を有する一対の軌道輪とを備えたものがある（特許文献１）。
【０００３】
複数のスラストころは針状ころによって形成されている。ころ保持器は、一対の軌道輪間に介在して配置されている。一対の軌道輪のうち一方の軌道輪は固定側の軌道輪として、また他方の軌道輪は回転側の軌道輪としてそれぞれ構成されている。そして、一方の軌道輪はその内周縁に、また他方の軌道輪はその外周縁にそれぞれころ保持器及び複数のスラストころを軸受内に収容するための立ち上がり部が設けられている。
【０００４】
このように構成されたスラストころ軸受においては、一対の軌道輪が相対回転すると、複数のスラストころが保持器に保持された状態で一対の軌道輪の軌道面上を転動する。
【先行技術文献】
【特許文献】
【０００５】
【特許文献１】特開２００８−２４０７５２号公報
【発明の概要】
【発明が解決しようとする課題】
【０００６】
ところで、上記したスラストころ軸受によると、その内部にグリスを保持してスラストころの転動面に供給する機能を備えてない。このため、例えば出荷検査時などスラストころの転動面に潤滑油が外部から供給されない状態（無潤滑）で円滑にスラストころ軸受を動作させる場合に対応することができず、グリスを内部に保持してスラストころの転動面に供給し、一時的に無潤滑で円滑に動作させることができるスラストころ軸受の出現が要望されていた。
【０００７】
従って、本発明の目的は、グリスを内部に保持してスラストころの転動面に供給し、一時的に無潤滑で円滑に動作させることができるスラストころ軸受を提供することにある。
【課題を解決するための手段】
【０００８】
本発明は、上記目的を達成するために、（１）〜（６）のスラストころ軸受を提供する。
【０００９】
（１）転動面を有する複数のスラストころと、前記複数のスラストころを転動可能に保持する複数のポケットを円周方向に沿って有するとともに、前記複数のポケットの内周側にグリスを貯溜するグリス貯溜部を有する円環状のころ保持器とを備え、前記ころ保持器は、前記複数のポケットの内外周側部を形成する内外２つの円環部の内周側円環部であって、前記複数のスラストころの軸線方向内端面に対向する部位に前記グリス貯溜部に連通して前記転動面にグリスを供給するためのグリス供給孔が設けられているスラストころ軸受。
【００１０】
（２）上記（１）に記載のスラストころ軸受において、前記ころ保持器は、前記グリス貯溜部を形成するための屈曲部が前記内周側円環部に設けられている。
【００１１】
（３）上記（１）又は（２）に記載のスラストころ軸受において、前記ころ保持器は、前記複数のスラストころを転動させる軌道輪が軸線方向片側に配置されている。
【００１２】
（４）上記（３）に記載のスラストころ軸受において、前記ころ保持器は、内輪又は外輪が前記軌道輪として軸線方向片側に配置されている。
【００１３】
（５）上記（１）又は（２）に記載のスラストころ軸受において、前記ころ保持器は、前記複数のスラストころを転動させる内輪が軸線方向一方側に、また前記複数のスラストころを転動させる外輪が軸線方向他方側にそれぞれ配置されている。
【００１４】
（６）上記（４）又は（５）に記載のスラストころ軸受において、前記内輪は、前記グリス貯溜部を形成するための屈曲部が内周縁に設けられている。
【発明の効果】
【００１５】
本発明によると、グリス貯溜部にグリスを貯溜してグリス供給孔からスラストころの転動面に供給し、一時的に無潤滑で円滑にスラストころ軸受を動作させることができる。
【図面の簡単な説明】
【００１６】
【図１】本発明の第１の実施の形態に係るスラストころ軸受の全体を説明するために示す断面図。
【図２】本発明の第１の実施の形態に係るスラストころ軸受の要部を説明するために示す断面図。
【図３】本発明の第１の実施の形態に係るスラストころ軸受のころ保持器によるころ保持状態を示す側面図。
【図４】本発明の第２の実施の形態に係るスラストころ軸受の全体を説明するために示す断面図。
【図５】本発明の第２の実施の形態に係るスラストころ軸受の変形例を説明するために示す断面図。
【図６】本発明の第３の実施の形態に係るスラストころ軸受の全体を説明するために示す断面図。
【図７】本発明の第４の実施の形態に係るスラストころ軸受の全体を説明するために示す断面図。
【発明を実施するための形態】
【００１７】
［第１の実施の形態］
以下、本発明の第１の実施の形態に係るスラストころ軸受について、図面を参照しながら詳細に説明する。
【００１８】
（スラストころ軸受の全体構成）
図１及び図２はスラストころ軸受を示す。図１及び図２に示すように、スラストころ軸受１は、複数のスラストころ４と、これら複数のスラストころ４を転動可能に保持するころ保持器５とを備え、回転体（図示せず）と固定ハウジング（図示せず）との間に介在して配置されている。
【００１９】
（複数のスラストころ４の構成）
複数のスラストころ４は、円筒ころからなり、転動面４ａを外周面に有し、固定ハウジング（図示せず）の軌道面と回転体（図示せず）の軌道面との間に介在して配置され、全体が例えば軸受鋼からなる成形体によって形成されている。
【００２０】
（ころ保持器５の構成）
図３はころ保持器のころ保持状態を示す。図２及び図３に示すように、ころ保持器５は、複数のスラストころ４を転動可能に保持する複数（本実施の形態では例えば３０個）のポケット５ａを円周方向に沿って有し、全体が例えば亜鉛鋼板のプレス成形体からなる円環部材によって形成されている。
【００２１】
また、ころ保持器５は、複数のポケット５ａの内外周側部（径方向端部）を形成する内外２つの円環部５ｂ，５ｃ（内周側の円環部５ｂ，外周側の円環部５ｃ）、及びこれら内外２つの円環部５ｂ，５ｃを連結して複数のポケット５ａの周方向側部を形成する柱部５ｄを有し、固定ハウジング（図示せず）と回転体（図示せず）との間に介在して配置されている。
【００２２】
内周側の円環部５ｂには、複数のポケット５ａの内周側にグリスを貯溜するグリス貯溜部５００ｂを形成するための屈曲部５０ｂが設けられている。屈曲部５０ｂは、ころ保持器５の内周側で立ち上がる立ち上がり部５０１ｂ、この立ち上がり部５０１ｂに対向する折り返し部５０２ｂ、及びこの折り返し部５０２ｂと立ち上がり部５０１ｂとを連結する連結部５０３ｂによって形成されている。グリス貯溜部５００ｂは、屈曲部５０ｂ内に配置され、全体が軸線方向片側（図１では左側）に開口する円環状の凹溝によって形成されている。
【００２３】
また、内周側の円環部５ｂには、複数のスラストころ４の軸線方向内端面（図２では下方端面）４ｂ（４ｃ：軸線方向外端面）に対向する部位でグリス貯溜部５００ｂに連通して転動面４ａにグリスを供給するための丸孔からなる複数（本実施の形態では例えば３０個）のグリス供給孔５２ｂが設けられている。
【００２４】
外周側の円環部５ｃには、グリス貯溜部５００ｂの開口方向に開口する円環状の凹溝からなる空間部５１０ｂを形成するための屈曲部５１ｂが設けられている。屈曲部５１ｂは、ころ保持器５の外周側で立ち上がる立ち上がり部５１１ｂ、この立ち上がり部５１１ｂに対向する折り返し部５１２ｂ、及びこの折り返し部５１２ｂと立ち上がり部５１１ｂとを連結する連結部５１３ｂによって形成されている。
【００２５】
（スラストころ軸受１の動作）
本実施の形態に示すスラストころ軸受１の動作は、次に示すようにして行われる。すなわち、固定ハウジングに対して回転体が回転すると、複数のスラストころ４がころ保持器５に保持された状態で固定ハウジングの軌道面及び回転体の軌道面上を転動する。この際、スラストころ軸受１の外部から内部に潤滑油が導入され、さらに重力及び遠心力を受けて複数のスラストころ４の転動面４ａに供給される。
【００２６】
この場合、重力によってスラストころ軸受１の外周縁から、また遠心力によってスラストころ軸受１の内周縁（グリス貯溜部５００ｂ及びグリス供給孔５２ｂ）からそれぞれ潤滑油が複数のスラストころ４の転動面４ａに到達する。
【００２７】
本実施の形態においては、スラストころ軸受１の内部（グリス貯溜部５００ｂ）にグリスを保持し、グリス貯溜部５００ｂからグリスが複数のスラストころ４の転動面４ａに供給される。
【００２８】
この場合、スラストころ軸受１の動作に伴い生じる遠心力によってグリス貯溜部５００ｂからグリス供給孔５２ｂを通過するグリスが複数のスラストころ４の転動面４ａに到達する。
【００２９】
従って、本実施の形態においては、例えば出荷検査時などスラストころ４の転動面４ａに潤滑油が一時的に外部から供給されない状態（無潤滑）でスラストころ軸受１を円滑に動作させる場合に対応することができる。
【００３０】
［第１の実施の形態の効果］
以上説明した第１の実施の形態によれば、次に示す効果が得られる。
【００３１】
グリス貯溜部５００ｂからグリス供給孔５２ｂを通過するグリスを複数のスラストころ４の転動面４ａに供給して一時的に無潤滑でスラストころ軸受１を円滑に動作させることができる。
【００３２】
[第２の実施の形態]
次に、本発明の第２実施の形態に係るスラストころ軸受につき、図４を用いて説明する。図４はスラストころ軸受を示す。図４において、図２と同一又は同等の機能をもつ部材については同一の符号を付し、詳細な説明は省略する。
【００３３】
図４に示すように、本発明の第２の実施の形態に係るスラストころ軸受１００は、複数のスラストころ４及びころ保持器５に加え、軌道輪としての内輪２を備えた点に特徴がある。
【００３４】
このため、内輪２は、複数のスラストころ４を転動させる内輪軌道面２ａを有し、ころ保持器５の軸線方向片側（一方側：図４では右側）で固定ハウジング（図示せず）側に配置され、全体が例えば薄肉鋼板からなる円環部材によって形成されている。
【００３５】
内輪２には、内輪軌道面２ａの内周縁から突出して複数のスラストころ４の軸線方向内端面（図２では下方端面）４ｂに対向する内輪側の立ち上がり部２ｂ、及びころ保持器５（内輪軌道面２ａ）の内周縁に対向する内輪側の折り返し部２ｃが設けられている。内輪側の立ち上がり部２ｂは円筒部材によって、また内輪側の折り返し部２ｃは円環部材によってそれぞれ形成されている。
【００３６】
このように構成されたスラストころ軸受１００においては、動作時に外部から内部に潤滑油が導入され、さらに重力及び遠心力を受けて複数のスラストころ４の転動面４ａに供給される。
【００３７】
また、本実施の形態においては、第１の実施の形態と同様に、スラストころ軸受１の内部（グリス貯溜部５００ｂ）にグリスを保持し、グリス貯溜部５００ｂからグリスが複数のスラストころ４の転動面４ａに供給される。
【００３８】
[第２の実施の形態の効果]
以上説明した第２の実施の形態によれば、第１の実施の形態に示す効果と同様の効果が得られる。
【００３９】
なお、本実施の形態においては、グリス貯溜部５００ｂを形成するための屈曲部５０ｂがころ保持器５の円環部５ｂに設けられている構造について説明したが、本発明はこれに限定されず、図５（変形例）に示すような構造としてもよい。すなわち、図５において、スラストころ軸受１００は、グリス貯溜部５００ｂを形成するための屈曲部２ｄが内輪２の内周縁に設けられている。屈曲部２ｄは、内輪側の立ち上がり部２ｂ及び内輪側の折り返し部２ｃによって形成されている。
【００４０】
[第３の実施の形態]
次に、本発明の第３実施の形態に係るスラストころ軸受につき、図６を用いて説明する。図６はスラストころ軸受を示す。図６において、図２と同一又は同等の機能をもつ部材については同一の符号を付し、詳細な説明は省略する。
【００４１】
図６に示すように、本発明の第３の実施の形態に係るスラストころ軸受２００は、複数のスラストころ４及びころ保持器５に加え、軌道輪としての外輪３を備えた点に特徴がある。
【００４２】
このため、外輪３は、複数のスラストころ４を転動させる外輪軌道面３ａを有し、ころ保持器５の軸線方向片側（他方側：図４では左側）で回転体（図示せず）側に配置され、全体が例えば薄肉鋼板からなる円環部材によって形成されている。
【００４３】
外輪３には、外輪軌道面３ａの外周縁から突出して複数のスラストころ４の軸線方向外端面（図２では上方端面）４ｃに対向する外輪側の立ち上がり部３ｂ、及びころ保持器５（外輪軌道面３ａ）の外周縁に対向する外輪側の折り返し部３ｃが設けられている。外輪側の立ち上がり部３ｂは円筒部材によって、また外輪側の折り返し部３ｃは円環部材によってそれぞれ形成されている。
【００４４】
このように構成されたスラストころ軸受２００においては、第１の実施の形態と同様に、動作時に外部から内部に導入された潤滑油を複数のスラストころ４の転動面４ａに、また内部（グリス貯溜部５００ｂ）に保持されたグリスを複数のスラストころ４の転動面４ａにそれぞれ供給することができる。
【００４５】
[第３の実施の形態の効果]
以上説明した第３の実施の形態によれば、第１の実施の形態に示す効果と同様の効果が得られる。
【００４６】
[第４の実施の形態]
次に、本発明の第４実施の形態に係るスラストころ軸受につき、図７を用いて説明する。図７はスラストころ軸受を示す。図７において、図４及び図６と同一又は同等の機能をもつ部材については同一の符号を付し、詳細な説明は省略する。
【００４７】
図７に示すように、本発明の第４の実施の形態に係るスラストころ軸受３００は、複数のスラストころ４及びころ保持器５に加え、軌道輪としての内輪２及び外輪３を備えた点に特徴がある。
【００４８】
このため、複数のスラストころ４は、内輪２の内輪軌道面２ａと外輪３の外輪軌道面３ａとの間に介在して配置されている。そして、複数のスラストころ４は内輪２の内輪軌道面２ａ及び外輪３の外輪軌道面３ａ上を転動する。
【００４９】
ころ保持器５は、内輪２と外輪３との間に複数のスラストころ４を転動可能に保持した状態で収容されている。
【００５０】
このように構成されたスラストころ軸受３００において、動作時に外部から内部に導入された潤滑油が複数のスラストころ４の転動面４ａに供給されること、及び内部（グリス貯溜部５００ｂ）に保持されたグリスが複数のスラストころ４の転動面４ａに供給されることは、第１の実施の形態と同様である。
【００５１】
[第４の実施の形態の効果]
以上説明した第４の実施の形態によれば、第１の実施の形態に示す効果と同様の効果が得られる。
【００５２】
以上、本発明のスラストころ軸受を上記の実施の形態に基づいて説明したが、本発明は上記の実施の形態に限定されるものではなく、その要旨を逸脱しない範囲で種々の態様において実施することが可能であり、例えば次に示すような変形も可能である。
【００５３】
（１）上記実施の形態では、グリス供給孔５２ｂの個数がポケット５ａの個数と同一である場合について説明したが、本発明はこれに限定されず、例えばポケットの個数の１／５〜１／３の個数のグリス供給孔であってもよい。また、上記実施の形態では、グリス供給孔５２ｂが丸孔からなる場合について説明したが、本発明はこれに限定されず、例えば長孔（スリット孔）からなるグリス供給孔であってもよい。
【００５４】
（２）上記実施の形態（第４の実施の形態）では、内輪２が固定ハウジング側に、また外輪３が回転体側にそれぞれ配置されている場合について説明したが、本発明はこれに限定されず、内輪を回転体側に、また外輪を固定ハウジング側にそれぞれ配置してもよい。
【符号の説明】
【００５５】
１，１００，２００，３００…スラストころ軸受、２…内輪、２ａ…内輪軌道面、２ｂ…内輪側の立ち上がり部、２ｃ…内輪側の折り返し部、２ｄ…屈曲部、３…外輪、３ａ…外輪軌道面、３ｂ…外輪側の立ち上がり部、３ｃ…外輪側の折り返し部、４…スラストころ、４ａ…転動面、４ｂ…軸線方向内端面、４ｃ…軸線方向外端面、５…ころ保持器、５ａ…ポケット、５ｂ…内周側の円環部、５０ｂ…屈曲部、５００ｂ…グリス貯溜部、５０１ｂ…立ち上がり部、５０２ｂ…折り返し部、５０３ｂ…連結部、５１ｂ…屈曲部、５１０ｂ…空間部、５１１ｂ…立ち上がり部、５１２ｂ…折り返し部、５１３ｂ…連結部、５２ｂ…グリス供給孔、５ｃ…外周側の円環部、５ｄ…柱部
【図１】
2013185629.tif 000003
【図２】
2013185629.tif 000004
【図３】
2013185629.tif 000005
【図４】
2013185629.tif 000006
【図５】
2013185629.tif 000007
【図６】
2013185629.tif 000008
【図７】
2013185629.tif 000009